(57)【特許請求の範囲】
【請求項１】
入射した放射線によって蛍光を発するシンチレータと、前記シンチレータからの前記蛍光を検出する位置検出型光電子増倍管と、を含む放射線検出モジュールを複数アレイ状に配列して構成され、所定の視野を測定可能な領域である全視野として構成された放射線検出手段と、
複数の前記放射線検出モジュールがそれぞれ有する複数の出力端子からの検出信号が入力され、前記出力端子間及び外部出力への接続の設定を行って外部への出力信号を選択することによって、前記全視野のうちの一部または全部を測定視野として設定する信号選択回路と、
前記信号選択回路からの前記出力信号が入力されて、前記測定視野中における放射線の入射位置を検出する位置検出回路と、
前記位置検出回路から入力される位置データを収集するデータ処理回路と、
前記データ処理回路からのデータの取得、及び選択制御信号による前記信号選択回路の制御、を行う制御手段と、
を備え、
前記放射線検出モジュールの前記位置検出型光電子増倍管は、複数のアノードと、前記複数のアノードからの信号が入力されるとともに、所定の抵抗値を有する抵抗を介して接続される抵抗分割回路と、前記抵抗分割回路の端部に接続された前記複数の出力端子とを有するマルチアノード型光電子増倍管であり、
前記信号選択回路は、
複数の前記放射線検出モジュールに対して設けられ、隣り合う２つの放射線検出モジュールの出力端子間の接続のＯＮ／ＯＦＦを切り換えることによって、一体の放射線検出モジュールとして機能する組み合わせを切り換える接続スイッチと、
複数の前記放射線検出モジュールのそれぞれの一端側の出力端子からの信号が入力されて、それらの入力が接続された複数のスイッチのいずれかをＯＮとすることによって、位置検出に用いられる一端側の出力信号を選択する第１選択スイッチ回路と、
複数の前記放射線検出モジュールのそれぞれの他端側の出力端子からの信号が入力されて、それらの入力が接続された複数のスイッチのいずれかをＯＮとすることによって、位置検出に用いられる他端側の出力信号を選択する第２選択スイッチ回路とを有し、
前記制御手段は、前記選択制御信号によって、前記接続スイッチのＯＮ／ＯＦＦ、前記第１選択スイッチ回路での前記複数のスイッチのそれぞれのＯＮ／ＯＦＦ、及び前記第２選択スイッチ回路での前記複数のスイッチのそれぞれのＯＮ／ＯＦＦを制御することを特徴とする放射線検出装置。
【請求項２】
前記信号選択回路は、ｎ種類（ただし、ｎは２以上の整数）の前記測定視野を同時に設定して、それぞれの前記測定視野に対応する前記出力信号を選択するように構成され、
前記信号選択回路からの前記ｎ種類の測定視野に対応する前記出力信号がそれぞれ入力されて、それぞれの前記測定視野中における放射線の入射位置を検出するｎ個の前記位置検出回路と、
前記ｎ個の位置検出回路からそれぞれ入力される位置データを収集するｎ個の前記データ処理回路と、
を備えることを特徴とする請求項１記載の放射線検出装置。
【発明の詳細な説明】
【０００１】
【発明の属する技術分野】
本発明は、放射線同位元素のイメージング装置などとして用いられる放射線検出装置に関するものである。
【０００２】
【従来の技術】
従来、放射性トレーサーを用いた生体のイメージングなど、放射性同位元素（ＲＩ：Radioactive Isotope）のイメージング装置としては、ガンマカメラや、ガンマカメラを応用した単一光子放出断層撮像装置（ＳＰＥＣＴ：Single Photon Emission Computed Tomography）などが用いられており、核医学の分野などにおいて利用されている。
【０００３】
【発明が解決しようとする課題】
上記したガンマカメラやＳＰＥＣＴなどの放射線検出装置において、その視野、位置分解能、計数率特性などの基本的な性能・特性は、ほぼ個々の装置に固定的なものである。一方、実用上は、測定対象に応じて最適な視野及び位置分解能を選択する必要がある場合、また、全視野（大視野）について測定を行った後に、その一部の注目視野（小視野）について高分解能での測定を行いたい場合など、それらの特性を切り換える必要を生じることがある。
【０００４】
ここで、そのような切り換えのために、同一の装置において視野及び位置分解能を変更するためには、測定に使用するコリメータを変更するなどの方法が考えられる。しかしながら、そのように切り換えを行う場合には、高価なコリメータを複数揃えておく必要があり、また、測定対象に最適なコリメータを選択する自由度が充分に確保できない、などの問題があった。また、このような方法による切り換えは、装置構成の変更を伴うものであるから、容易に行うことができず、特に、測定中における短時間での変更・切り換えが困難であるという問題があった。
【０００５】
本発明は、以上の問題点に鑑みてなされたものであり、容易に視野及び位置分解能等を変更することができる放射線検出装置を提供することを目的とする。
【０００６】
【課題を解決するための手段】
このような目的を達成するために、本発明による放射線検出装置は、入射した放射線によって蛍光を発するシンチレータと、シンチレータからの蛍光を検出する位置検出型光電子増倍管と、を含む放射線検出モジュールを複数アレイ状に配列して構成され、所定の視野を測定可能な領域である全視野として構成された放射線検出手段と、複数の放射線検出モジュールがそれぞれ有する複数の出力端子からの検出信号が入力され、出力端子間及び外部出力への接続の設定を行って外部への出力信号を選択することによって、全視野のうちの一部または全部を測定視野として設定する信号選択回路と、信号選択回路からの出力信号が入力されて、測定視野中における放射線の入射位置を検出する位置検出回路と、位置検出回路から入力される位置データを収集するデータ処理回路と、データ処理回路からのデータの取得、及び選択制御信号による信号選択回路の制御、を行う制御手段と、を備え、放射線検出モジュールの位置検出型光電子増倍管は、複数のアノードと、複数のアノードからの信号が入力されるとともに、所定の抵抗値を有する抵抗を介して接続される抵抗分割回路と、抵抗分割回路の端部に接続された複数の出力端子とを有するマルチアノード型光電子増倍管であり、信号選択回路は、複数の放射線検出モジュールに対して設けられ、隣り合う２つの放射線検出モジュールの出力端子間の接続のＯＮ／ＯＦＦを切り換えることによって、一体の放射線検出モジュールとして機能する組み合わせを切り換える接続スイッチと、複数の放射線検出モジュールのそれぞれの一端側の出力端子からの信号が入力されて、それらの入力が接続された複数のスイッチのいずれかをＯＮとすることによって、位置検出に用いられる一端側の出力信号を選択する第１選択スイッチ回路と、複数の放射線検出モジュールのそれぞれの他端側の出力端子からの信号が入力されて、それらの入力が接続された複数のスイッチのいずれかをＯＮとすることによって、位置検出に用いられる他端側の出力信号を選択する第２選択スイッチ回路とを有し、制御手段は、選択制御信号によって、接続スイッチのＯＮ／ＯＦＦ、第１選択スイッチ回路での複数のスイッチのそれぞれのＯＮ／ＯＦＦ、及び第２選択スイッチ回路での複数のスイッチのそれぞれのＯＮ／ＯＦＦを制御することを特徴とする。
【０００７】
上記した装置においては、放射線検出を例えば２次元のマトリクス状など所定の形状・構成によって配列された、それぞれが２次元位置検出型である複数の放射線検出モジュールによって行う。位置検出型光電子増倍管は複数の出力端子を有しており、それらから出力される検出信号の相関によって放射線の入射位置を検出する。このような構成において、それぞれの放射線検出モジュールの出力端子間の接続、及び位置検出に用いる出力信号の選択を信号選択回路により設定または切り換えることによって、単一の検出装置において検出に用いられる放射線検出モジュール及びその組み合わせを選択し測定視野を設定して、装置構成を変更せずに回路の制御のみで視野及び位置分解能を切り換えることが可能となる。
【０００８】
また、データ取得及び信号選択は同一の制御手段によって行われており、これによって、両者を同時に設定・制御して、効率的な測定を行うことができる。
【０００９】
また、信号選択回路は、ｎ種類（ただし、ｎは２以上の整数）の測定視野を同時に設定して、それぞれの測定視野に対応する出力信号を選択するように構成され、信号選択回路からのｎ種類の測定視野に対応する出力信号がそれぞれ入力されて、それぞれの測定視野中における放射線の入射位置を検出するｎ個の位置検出回路と、ｎ個の位置検出回路からそれぞれ入力される位置データを収集するｎ個のデータ処理回路と、を備えることを特徴とする。
【００１０】
特に、大視野及び小視野での測定など、２つ以上の異なる視野についての測定を同時に行いたい場合に、このように２以上の系統の位置検出回路及びデータ処理回路を設置し、信号選択回路における出力端子間の接続、及び位置検出に用いる出力信号の選択をこれに対応させて、複数の視野についての出力信号をそれぞれ選択・出力するように構成することによって、上記したような複数視野の同時測定が可能となる。
【００１１】
さらに、信号選択回路は、複数の放射線検出モジュールのそれぞれの複数の出力端子間の接続を設定する接続回路と、外部出力へ接続される出力端子を選択する選択回路と、を有することを特徴としても良い。
【００１２】
このような回路構成からなる信号選択回路とすることによって、効率的に測定視野の設定・切り換えを実現することができる。
【００１３】
【発明の実施の形態】
以下、図面と共に本発明による放射線検出装置の好適な実施形態について詳細に説明する。なお、図面の説明においては同一要素には同一符号を付し、重複する説明を省略する。また、図面の寸法比率は、説明のものと必ずしも一致していない。
【００１４】
図１は、本発明に係る放射線検出装置の一実施形態の構成を示すブロック図である。放射線を検出する放射線検出部１については、従来のガンマカメラ等と同様の構成であり、測定対象から放射されて放射線検出装置に入射されるガンマ線などの放射線をコリメートするコリメータ１ｂと、コリメータ１ｂによってコリメートされた放射線を検出する、２次元位置検出可能に構成された放射線検出モジュールアレイ１ａとを有して構成されている。コリメータ１ｂとしては、接続される放射線検出モジュールアレイ１ａの形状・構成、及び必要とされる位置分解能等に応じた構成のものが選択・使用される。また、放射線検出モジュールアレイ１ａは、複数の放射線検出モジュール１０を２次元に配列して構成されている。
【００１５】
放射線検出モジュールアレイ１ａを構成している複数の放射線検出モジュール１０からそれぞれ出力される、検出された放射線の入射位置情報を含む検出信号は、信号選択回路２に入力される。この信号選択回路２は、後述するように、上記した検出信号間の接続及びその変更と、それによる出力信号の選択等を行うことによって、本検出装置の視野及び位置分解能等の制御・変更を実現するように構成されている。
【００１６】
信号選択回路２によって選択されて出力された出力信号は、位置検出回路３に入力されて放射線の入射位置の情報に変換されて位置データとして出力され、データ処理回路４によってそれらの位置データの収集が行われて、最終的にコンピュータ５に入力される。コンピュータ５は、接続されている表示装置６に収集されたデータ、またはその解析結果等を表示する。また、このコンピュータ５は、選択制御信号によって信号選択回路２による視野及び位置分解能等の切り換えの制御を行い、これによって、測定視野の切り換えと、データの取得・表示等を対応させて実行・制御することができる。なお、このコンピュータ５については、必要があれば、さらに収集されたデータを記憶する記憶装置等を接続した構成としても良い。また、例えばキーボードなどの入力装置を接続して、これらから選択制御信号等を変更できるように構成することも可能である。また、位置検出回路３について、その応答速度は一定であるので、大視野に比べて小視野とした場合に装置の計数率特性が向上する。
【００１７】
図２は、本実施形態において用いられる放射線検出モジュールアレイ１ａの構成を示す斜視図であり、また図３は、放射線検出モジュール１０の拡大斜視図である。本実施形態においては、放射線検出モジュールアレイ１ａは、８×８のマトリクス状に配列された複数の放射線検出モジュール１０から構成されており、図２においてはそのうちの１つ（右下端）に符号１０が付されている。また、放射線検出モジュール１０についても、そのそれぞれが２次元位置検出が可能な構成とされている。
【００１８】
放射線検出モジュール１０は、例えば本実施形態のような配列とされる場合には長方形または正方形の形状を有し、その上部は、入射されたガンマ線などの放射線の入射によって蛍光を発する、例えばマトリクス状に配列された複数のシンチレータ１１ａからなるシンチレータアレイ１１であり、その下部に、シンチレータアレイ１１から出力された蛍光が検出される、マルチアノード型などの位置検出型光電子増倍管１２が接続されている。位置検出型光電子増倍管１２からの検出信号は、４本の出力端子１４から外部に出力される。なお、シンチレータアレイ１１の複数のシンチレータ１１ａの配列については、図２においては符号１０を付した放射線検出モジュール１０にのみ図示してある。また、このシンチレータアレイ１１は必ずしも複数のシンチレータを有する必要はなく、単一のシンチレータによって構成されても良い。
【００１９】
図４は、図３に示した放射線検出モジュール１０の断面図である。シンチレータアレイ１１は複数のシンチレータ１１ａによって構成され、それぞれのシンチレータ１１ａは、シンチレータ１１ａ内に放射線が入射することによって生じた蛍光を反射させて、位置検出型光電子増倍管１２に効率的に入射させるための反射材１１ｂによってその側面及び上面を覆われている。
【００２０】
シンチレータアレイ１１の下部に設置された位置検出型光電子増倍管１２は、本実施形態においてはマルチアノード型光電子増倍管である。位置検出型光電子増倍管１２の上面には、シンチレータ１１ａがそれぞれ接続された光電面１２ａが形成され、放射線の入射によってシンチレータ１１ａにおいて生じた蛍光は、光電面１２ａに入射して光電効果によって光電子に変換される。光電面１２ａから出射された光電子は、チャンネル型ダイノード１２ｂによって増倍され、増倍された電子流は最終的にアノード面１２ｃに到達して、検出信号が生成される。なお、必要があれば、シンチレータアレイ１１及び光電面１２ａの間にライトガイドを設置しても良い。
【００２１】
アノード面１２ｃは位置検出が可能なマルチアノード型であり、本実施形態においては８×８のマトリクス状に分割されて、それぞれに形状が長方形または正方形である８×８個のアノード１２ｄが配置されている。増倍された電子流はこれらのアノード１２ｄに到達されて、アノード端子１２ｅを介して抵抗分割回路１３に入力される。抵抗分割回路１３によって処理された信号は、最終的に４本の出力端子１４から外部へ出力される。
【００２２】
図５に、抵抗分割回路１３の構成を示す。抵抗分割回路１３には、８×８個のアノード１２ｄからの信号が８×８個のアノード端子１２ｅを介して入力され、それらは、所定の抵抗値を有する抵抗１３ａを介して図に示すように接続されて、最終的にその４方の端部に接続された出力端子１４ａ〜１４ｄから検出信号が出力される。なお、ここで、図５に示すようにｘ−ｙ座標を設定し、出力端子１４ａ、１４ｂ、１４ｃ及び１４ｄからの出力をそれぞれａ、ｂ、ｃ、ｄとすると、放射線の入射位置（ｘ、ｙ）は重心位置演算
ｘ＝（ｃ＋ｄ）／（ａ＋ｂ＋ｃ＋ｄ）
ｙ＝（ａ＋ｄ）／（ａ＋ｂ＋ｃ＋ｄ）
によって求めることができる。
【００２３】
次に、図１に示した放射線検出装置において、その測定視野及び位置分解能等を切り換えるための本発明に係る信号選択回路２の構成及び機能について説明する。図６は、信号選択回路２の構成を示す回路図である。ただし、図６においては、簡単のために放射線検出部１は１次元位置検出型のものとし、したがって、各放射線検出モジュールについては１次元の両端に対応する２本の出力端子とその接続について示すが、２次元位置検出型とした場合においても、それに対応して本図に示したものを、同様の構成を用いて容易に拡張することが可能である。また、コリメータ１ｂについては図示していない。
【００２４】
ここでは、放射線検出モジュールアレイ１ａとしては１次元に配列された８個の放射線検出モジュール１０1〜１０8を示してあり、それぞれの放射線検出モジュール１０i（ｉ＝１〜８）は１次元の位置検出型光電子増倍管１２を有して構成されて、１次元の両端に対応する出力端子１４ａi及び１４ｂiから検出信号が出力される。なお、図中には最上部に位置する放射線検出モジュール１０1の出力端子１４ａ1及び１４ｂ1についてのみ符号を付してあるが、その他の放射線検出モジュール１０iについても同様に図中の上方にある出力端子を１４ａi、下方にある出力端子を１４ｂiとする。
【００２５】
隣り合う２つの放射線検出モジュール、例えば放射線検出モジュール１０1及び１０2、はアナログスイッチである接続スイッチ、例えば接続スイッチ２１1、を介してそれぞれ接続されている。これらの接続スイッチ２１1〜２１7は、デコーダ２１０を介してコンピュータ５からの選択制御信号によってそのＯＮ／ＯＦＦを制御されており、これによって放射線検出モジュールの接続・組み合わせとそれによる測定視野の変更が行われる。すなわち、例えば接続スイッチ２１1をＯＮとした場合、放射線検出モジュール１０1及び１０2は、放射線検出モジュール１０1の上方の出力端子１４ａ1及び放射線検出モジュール１０2の下方の出力端子１４ｂ2を両端の出力端子とした一体の放射線検出モジュールとして機能する。
【００２６】
信号選択回路２には、さらに位置検出回路３に出力する信号を選択するための選択スイッチ回路２２及び２４が設けられている。選択スイッチ回路２２には、放射線検出モジュール１０1〜１０8の図中上方の出力端子１４ａ1〜１４ａ8からの信号が入力され、それぞれの入力は選択スイッチ回路２２内に設置されたアナログスイッチに接続されており、これら８つのスイッチのＯＮ／ＯＦＦを、デコーダ２２０を介してコンピュータ５からの選択制御信号によって制御して、いずれかのスイッチをＯＮとすることによって、位置検出に用いられる出力信号を選択することができる。同様に、スイッチ回路２４によって、放射線検出モジュール１０1〜１０8の図中下方の出力端子１４ｂ1〜１４ｂ8からの信号について、位置検出に用いられる出力信号の選択が行われる。選択スイッチ回路２２及び２４からの出力信号は、それぞれアンプ２２１及び２４１によって増幅された後、位置検出回路３に出力される。
【００２７】
これらの選択スイッチ回路２２及び２４は、上記した接続スイッチ２１1〜２１7と連動して選択制御信号によって制御される。例えば、接続スイッチ２１1をＯＮにして放射線検出モジュール１０1及び１０2を接続し、選択スイッチ回路２２によって１４ａ1からの出力信号を選択し、また、接続スイッチ回路２４によって１４ｂ2からの出力信号を選択することによって、放射線検出モジュール１０1及び１０2からなる領域を測定視野とする放射線検出を行うことができる。同様にして、１〜８個の放射線検出モジュール及びそれらからの出力信号を接続・選択し、切り換えることによって、検出装置の構成等を変更することなく、回路の制御のみによって、測定視野及び位置分解能の選択及び切り換えを行うことが可能となる。
【００２８】
上述したように、信号選択回路２によって放射線検出部１を構成する複数の放射線検出モジュール１０の接続及び出力信号の選択を行うことによって、例えば大視野及び小視野による測定の選択・切り換えが単一の装置によって可能となる。一方、大視野及び小視野による測定を同時に実行したい場合が考えられるが、このような測定は位置検出を２系統の回路を用いて同時に行うことによって、実現することができる。図７は、そのような構成による本発明に係る放射線検出装置の他の実施形態の構成を示すブロック図である。このように位置検出を、位置検出回路３ａとデータ処理回路４ａ、及び位置検出回路３ｂとデータ処理回路４ｂの２つの系統の回路を用いて行うことによって、上述したような大視野及び小視野による測定など、異なる２つの測定視野による測定を同時に実行することが可能となる。
【００２９】
図８は、図７に示した実施形態に適用される信号選択回路２の構成を示す回路図である。なお、放射線検出部１の構成、及び放射線検出モジュール１０1〜１０8のそれぞれの出力端子間の接続を行う接続スイッチ２１1〜２１7等については図６に示した回路と同様である。またここでは、見やすさのために各出力端子と選択スイッチ回路との接続信号線は図示していない。
【００３０】
この信号選択回路２には、４つの選択スイッチ回路２２〜２５が設置されており、このうち、選択スイッチ回路２２及び２３は図６における選択スイッチ回路２２と同様の構成・機能を有して、放射線検出モジュール１０1〜１０8の図中上方の出力端子１４ａ1〜１４ａ8からの信号が入力されている。また、選択スイッチ回路２４及び２５は図６における選択スイッチ回路２４と同様の構成・機能を有して、放射線検出モジュール１０1〜１０8の図中下方の出力端子１４ｂ1〜１４ｂ8からの信号が入力されている。このような構成において、選択スイッチ回路２２及び２４からの出力信号は、それぞれアンプ２２１及び２４１によって増幅された後、位置検出回路３ａに出力されて第１の位置検出が行われる。また、選択スイッチ回路２３及び２５からの出力信号は、それぞれアンプ２３１及び２５１によって増幅された後、位置検出回路３ｂに出力されて第２の位置検出が行われる。
【００３１】
これらの選択スイッチ回路２２〜２５及び接続スイッチ２１1〜２１7を、デコーダ２２０〜２５０及び２１０を介してコンピュータ５からの選択制御信号によって制御することによって、上記した第１及び第２の位置検出における視野及び位置分解能の選択・切り換えを行うことができる。図８においては、第１の位置検出を大視野（全視野）測定とし、第２の位置検出を小視野測定とするようにそれぞれのスイッチのＯＮ／ＯＦＦを設定して示してある。
【００３２】
すなわち、接続スイッチ２１1〜２１7はすべてＯＮに設定されており、放射線検出モジュール１０1〜１０8が一体の放射線検出モジュールを構成している。これに対して、選択スイッチ回路２２では出力端子１４ａ1からの信号が、また、選択スイッチ回路２４では出力端子１４ｂ8からの信号が出力信号として選択されており、これによって、位置検出回路３ａにおいては８個の放射線検出モジュール１０1〜１０8による大視野測定が行われる。一方、選択スイッチ回路２３では出力端子１４ａ4からの信号が、また、選択スイッチ回路２５では出力端子１４ｂ4からの信号が出力信号として選択されており、これによって、位置検出回路３ｂにおいては単一の放射線検出モジュール１０4による小視野測定が行われる。したがって、このような信号選択回路２の構成及び位置検出回路３ａ及び３ｂとの接続とし、信号選択回路２における出力信号を適宜選択または切り換えることによって、例えば大視野及び小視野での測定など、異なる２つの測定視野による測定を同時に行うことが可能となる。
【００３３】
本発明による放射線検出装置は、上記した実施形態に限られるものではなく、様々な変形が可能である。例えば、放射線検出部１の構成については、個々の放射線検出モジュールの形状及びその配列方法など、必要に応じて様々な変更が可能である。また、位置検出型光電子増倍管についても、マルチアノード型以外のものを用いても良い。これら放射線検出部１の構成変更に応じて、信号選択回路についても上記した実施形態と同様の機能を有するように構成することが可能である。なお、場合によっては、本発明の回路による視野及び位置分解能等の切り換えと、従来のコリメータによる視野及び位置分解能等の切り換えと、を併用しても良い。
【００３４】
また、複数の測定視野による同時測定については、２つの視野に限られるものではなく、３つ以上の視野についての測定を同時に実行可能なように構成することも可能である。
【００３５】
【発明の効果】
本発明による放射線検出装置は、以上詳細に説明したように、次のような効果を得る。すなわち、位置検出型光電子増倍管を備える放射線検出モジュールを複数用いて放射線検出を行い、そのそれぞれの出力端子からの検出信号について、それらの接続と外部への出力信号の選択を信号選択回路によって設定・制御することによって、装置構成の変更を行うことなく、測定中における測定視野及び位置分解能の切り換え、または、例えば大視野及び小視野など複数の測定視野についての同時測定などを実現することができる。
【００３６】
これによって、測定対象に合わせた検出装置の最適化の自由度が高くなるとともに、最適化を容易かつ短時間で行うことが可能となり、例えば核医学分野などにおいて、従来のガンマカメラやＳＰＥＣＴなどに比べて、より精度の高い診断情報を得ることができる。また、装置の小型化や低価格化も可能となる。
【図面の簡単な説明】
【図１】本発明に係る放射線検出装置の一実施形態の構成を示すブロック図である。
【図２】図１に示した装置に適用される放射線検出モジュールアレイの構成を示す斜視図である。
【図３】図２に示した放射線検出モジュールアレイを構成する放射線検出モジュールを示す斜視図である。
【図４】図３に示した放射線検出モジュールの断面図である。
【図５】図３に示した放射線検出モジュールに適用される抵抗分割回路の構成を示す回路図である。
【図６】図１に示した装置に適用される信号選択回路の構成を示す回路図である。
【図７】本発明に係る放射線検出装置の他の実施形態の構成を示すブロック図である。
【図８】図７に示した装置に適用される信号選択回路の構成を示す回路図である。
【符号の説明】
１…放射線検出部、１ａ…放射線検出モジュールアレイ、１ｂ…コリメータ、１０…放射線検出モジュール、１１…シンチレータアレイ、１１ａ…シンチレータ、１１ｂ…反射材、１２…位置検出型光電子増倍管、１２ａ…光電面、１２ｂ…チャンネル型ダイノード、１２ｃ…アノード面、１２ｄ…アノード、１２ｅ…アノード端子、１３…抵抗分割回路、１３ａ…抵抗、１４、１４ａ〜ｄ…出力端子、
２…信号選択回路、２１…接続スイッチ、２１０…デコーダ、２２〜２５…選択スイッチ回路、２２０〜２５０…デコーダ、２２１〜２５１…アンプ、
３、３ａ、３ｂ…位置検出回路、４、４ａ、４ｂ…データ処理回路、５…コンピュータ、６…表示装置。
【図１】
0004326613.tif 000002
【図２】
0004326613.tif 000003
【図３】
0004326613.tif 000004
【図４】
0004326613.tif 000005
【図５】
0004326613.tif 000006
【図６】
0004326613.tif 000007
【図７】
0004326613.tif 000008
【図８】
0004326613.tif 000009